(57)【要約】【課題】  この発明は、開口部に配置され、選択的に採光レベルを調整することができると共に、表示を変化させる広告表示にも利用できるブラインド装置及びこれを利用したブラインド群装置を提供する。【解決手段】  この発明は、開口部に装着される透光性部材に沿って相対的に移動可能な複数のシート部材によって構成されるブラインド装置において、前記シート部材の各々は、透光部と、遮光領域と透光領域が所定の割合で混在する部分的遮光部とによって構成され、それぞれのシート部材の部分的遮光部が所定の位置に移動することによって、所定の図柄を形成することにある。【選択図】  図１
2007016541.tif 000002
【特許請求の範囲】
【請求項１】
開口部に装着される透光性部材に沿って相対的に移動可能な複数のシート部材によって構成されるブラインド装置において、
前記シート部材の各々は、透光部と、遮光領域と透光領域が所定の割合で混在する部分的遮光部とによって構成され、
それぞれのシート部材の部分的遮光部が所定の位置に移動することによって、所定の図柄を形成することを特徴とするブラインド装置。
【請求項２】
前記シート部材のそれぞれの透光部が重なることによって前記開口部を全面開放状態とし、前記シート部材のそれぞれの部分的遮光部の遮光領域がそれぞれの部分的遮光部の透光領域と重複することによって前記開口部を全面閉鎖状態とすることを特徴とする請求項１記載のブラインド装置。
【請求項３】
前記シート部材は、複数の形態で連続して配置された複数の部分的遮光部を有し、それぞれのシート部材の部分的遮光部を断続的に停止させることによって複数の図柄を連続して表示可能であることを特徴とする請求項１又は２記載のブラインド装置。
【請求項４】
前記シート部材のそれぞれは、前記透光性部材の両端に配された一対のロール間を移動することを特徴とする請求項１〜３のいずれか一つに記載のブラインド装置。
【請求項５】
前記シート状部材は、前記開口部に沿って配された一対の透光性部材によって画成された隙間を移動することを特徴とする請求項１〜４のいずれか一つに記載のブラインド装置。
【請求項６】
前記シート部材は、前記透光性部材の一方に配された一対のロール間を、前記透光性部材の他方側に配された折り返しロールを介して移動する一枚のシート部材であることを特徴とする請求項１〜３のいずれか一つに記載のブラインド装置。
【請求項７】
前記シート状部材は、前記開口部に沿って配された一対の透光性部材によって画成された隙間を移動することを特徴とする請求項６記載のブラインド装置。
【請求項８】
前記折り返しロールは、前記透光性部材間の隙間を移動可能であることを特徴とする請求項７記載のブラインド装置。
【請求項９】
前記請求項１〜８のいずれか一つに記載のブラインド装置を複数配置したことを特徴とするブラインド群装置。
【発明の詳細な説明】
【技術分野】
【０００１】
この発明は、主に開口部に配置され、選択的に遮光及び透光若しくは視線の遮断や透過を行うことができ、さらに広告表示機能を有することもできるブラインド装置及びこのブラインド装置を複数配置したブラインド群装置に関する。
【背景技術】
【０００２】
特許文献１は、平行に且つ隣接して配置された複数の断片を組み合わせて画像を形成する連続的又は逐次的なアニメーションにより連続的な広告表示を与えるシステムを開示する。また、この特許文献１は、それぞれの断片が同期して回転可能なローラによって回転される無端ウェブ、いわゆるその断片で表示されることが必要される模様を有するシートによって構成され、このシートを回転させることによって断片における模様が連続的可変し、全体として連続的な広告表示を可能にしたものである。
【０００３】
特許文献２は、複数コマが連続体として巻き込まれているシート状の透光性フィルムをコマ毎に表示面部側へ送り出すコマ送り手段と、コマ送り手段により送り出される透光性フィルムの背面側に光源を配し、この光源により透光性フィルムの背面側を光照射させることにより透光性フィルム面状のカラー・モノクロ写真、又はカラー・モノクロ印刷された広告画面を点灯表示させるフィルム点灯手段と、表示面部に隣接され、前記コマ送り手段のコマ送り動作に連動して文字を表示させるＬＥＤ表示を配し、ＬＥＤ表示部に電話回線による各種のネットワーク通信機能、ページャ通信機能若しくはパソコン回線機能等による回線信号で文字・音声による情報をリアルタイムで入力させる広告表示装置において、この透過性フィルムの１コマに複数の広告画面を同時に表示すべく、透光性フィルムの１コマ面を複数の領域に分割したことを開示する。
【０００４】
特許文献３は、モータの回転を用いて絵や広告等の展示対象物を自動でディスプレイするブラインドと、ディスプレイを調節するためにモータの回転を制御する制御ユニットとを備え、前記ブラインドは、内蔵されたモータにより自転する円筒状水平フレーム部材に絵等が描かれた展示物シートが懸垂されたロールブラインド、モータが内蔵された平面型フレーム部材に多段式展示プレートが懸垂された多段式ブラインド、又はモータが内蔵された平面型フレーム部材に折りたたみ式ギャザー展示シートが懸垂された折り畳み式ブラインドのいずれかであり、前記ブラインドを４角形状の取り囲む枠部材とこの枠部材に配置された透明展示窓により密閉内蔵されるディスプレイ装置を用いることを開示する。
【０００５】
特許文献４は、二重のガラスの窓の２枚のガラスで挟まれた空間に、それぞれ独立して移動可能な桟の移動手段を有するブラインドを備えた二重窓を開示する。
【０００６】
特許文献５は、巻取軸の回転操作に基づいて、ウェイトバーを窓の下縁部に保持しながら、巻取軸から第１の生地に続いて第２の生地を引き出すことのできるロールブラインドを開示する。また、この特許文献５において、第１の生地が遮光性を備えた生地であり、第２の生地が採光可能な生地であることが開示されている。
【０００７】
特許文献６は、巻取ロールを設けて上下動自在な巻き上げ式シャッターを下げた状態でその表面を覆うべき、シャッター上部に上端を固定し且つシャッターを上げた状態でシャッターと共に前記巻取ロールに巻き取られる可撓性を有するディスプレイシートと、ディスプレイシートの下部を下方に牽引付勢してディスプレイシートをシャッター表面に密接させるべくシャッター下部に配設される牽引部材とからなるシャッター用ディスプレイ装置を開示する。
【特許文献１】特表２００２−５０７２９３号公報
【特許文献２】特開２００３−１０８０４１号公報
【特許文献３】特開２００４−１９０４７６号公報
【特許文献４】特開２０００−２４８８５６号公報
【特許文献５】特開２００３−９７１６７号公報
【特許文献６】特開２００４−３３９９１８号公報
【発明の開示】
【発明が解決しようとする課題】
【０００８】
通常のロールスクリーンは、遮光性の材料によって構成され、開口部に対してスクリーンを上下して、その遮蔽面積を変化させることによって採光レベルを調整するようになっている。また、上記特許文献５に開示されているように、遮光性材料からなる第１のスクリーンと、採光可能な第２のスクリーンを重複されることによって採光を調整することもできる。また、特許文献４に開示されているように、通常のブラインドによって、開口部の遮蔽面積を変化させることによって採光を調整するようにしたものもある。
【０００９】
また、特許文献１〜３には、移動スクリーンを利用して広告を表示する表示装置が開示されている。また、特許文献６は、シャッターにディスプレイ表示を行った例を示している。このように、スクリーン自体に広告性を持たせることは、大きな要望の一つのである。
【００１０】
この発明は、開口部に配置され、選択的に採光レベルを調整することができると共に、表示を変化させる広告表示にも利用できるブラインド装置及びこれを利用したブラインド群装置を提供する。
【課題を解決するための手段】
【００１１】
したがって、この発明は、開口部に装着される透光性部材に沿って相対的に移動可能な複数のシート部材によって構成されるブラインド装置において、前記シート部材の各々は、透光部と、遮光領域と透光領域が所定の割合で混在する部分的遮光部とによって構成され、それぞれのシート部材の部分的遮光部が所定の位置に移動することによって、所定の図柄を形成することにある。
【００１２】
また、前記シート部材のそれぞれの透光部が重なることによって前記開口部を全面開放状態とし、前記シート部材のそれぞれの部分的遮光部の遮光領域がそれぞれの部分的遮光部の透光領域と重複することによって前記開口部を全面閉鎖状態とすることが望ましい。
【００１３】
さらに、前記シート部材は、複数の形態で連続して配置された複数の部分的遮光部を有し、それぞれのシート部材の部分的遮光部を断続的に停止させることによって複数の図柄を連続して表示可能であることが望ましい。また、複数のシート部材の部分的遮光部が重なって所定の図柄を形成した状態で、それぞれのシート部材を同期させて移動させることも可能である。
【００１４】
さらにまた、前記シート部材のそれぞれは、前記透光性部材の両端に配された一対のロール間を移動するものであっても、前記透光性部材の一方に配された一対のロール間を、前記透光性部材の他方側に配された折り返しロールを介して移動する一枚のシート部材であるものであっても良い。
【００１５】
また、前記シート状部材は、前記開口部に沿って配された一対の透光性部材によって画成された隙間を移動することが望ましい。さらに、前記折り返しロールは、前記透光性部材間の間隙を移動可能であっても良い。
【００１６】
さらに、上述したブラインド装置を複数配置してブラインド群装置を構成しても良いものである。特にそれぞれのブラインド装置を制御装置によってトータル的に制御することが望ましい。
【発明の効果】
【００１７】
したがって、この発明によれば、それぞれのシート部材の透光領域が前記開口部に位置している場合には、最大の採光を得ることができ、いずれかのシート部材の部分的遮光部が開口部に位置した場合には、その遮光領域の割合による採光を得ることができ、それぞれのシート部材の遮光領域が他のシート部材の透光領域に重複した場合には、完全な遮光を達成できるので、室内側の状況に合った遮光レベルを得ることができるものである。
【００１８】
また、開口部に配置された遮光領域の相互関係を保ったまま移動することもできるので、開口部の上側領域のみの遮光／採光、下側領域のみの遮光／採光等が可能になり、所望の採光／遮光を得ることができるものである。
【００１９】
また、それぞれのシート部材のそれぞれの部分的遮光部の遮光領域によって描かれたそれぞれに分散した図柄を所定の位置で停止させることによって、分散した図柄を復元させて所定の位置に表示させることができるので、広告等に利用することができる。また、本願発明のブラインド装置を建物のサッシ開口部に配置し、その図柄によって町並みの雰囲気、室内の雰囲気を変えることができるという効果もある。
【００２０】
また、図柄を連続して変化させることができるので、複数の情報を提供することも可能である。さらにブラインド装置を開口部に沿って複数配置し、又は複数の開口部のそれぞれに配置し、総合的に関連させて制御することによって、いろいろな演出が可能になるものである。
【発明を実施するための最良の形態】
【００２１】
以下、この発明の実施例について図面により説明する。
【実施例１】
【００２２】
図１乃至図３に示される本願発明の実施例１に係るブラインド装置１は、図２及び図３に示す枠体２１によって画成される開口部２０を閉塞する例えばガラス、アクリル板等の透過性材料からなり、所定の間隙２Ｃを形成するように配された一対の透光性部材２Ａ，２Ｂからなる透光部２と、この透光部２の間隙２Ｃを移動する一対のシート部材３，４と、シート部材３，４を移動させる図示しない移動手段とによって構成される。尚、前記ブラインド装置１は、開口部２０を閉塞する材料を取り去ったフレームだけの構成でも可動可能であり、前記開口部２０に対して着脱自在であっても良い。
【００２３】
前記シート部材（第１のシート部材）３は、前記透光部２の上部に設けられた上部収納部２２に配設された第１の上部ローラ５と前記透光部２の下部に設けられた下部収納部２３に配設された第１の下部ローラ７の間を、ガイドローラ９，１１を介して、例えば上下方向に移動するもので、図２（ｂ）で示すように、透光性部材からなる透光部３０と、遮光領域３３と透光領域３２が所定の割合で混在する部分的遮光部３１とによって構成される。尚、この実施例１において、前記第１のシート部材３は、透光性材料によって形成され、その透光性材料上に、遮光性材料からなる模様をプリントして遮光領域３３と透光領域３２とを形成するものである。
【００２４】
同様に、前記シート部材（第２のシート部材）４は、前記透光部２の上部に設けられた上部収納部２２に配設された第２の上部ローラ５６と前記透光部２の下部に設けられた下部収納部２３に配設された第２の下部ローラ８の間を、ガイドローラ１０，１２を介して、例えば上下方向に移動するもので、図２（ｃ）で示すように、透光性部材からなる透光部４０と、遮光領域４３と透光領域４２が所定の割合で混在する部分的遮光部４１とによって構成される。また、前記第２のシート部材４は、透光性材料によって形成され、その透光性材料上に、遮光性材料からなる模様をプリントして遮光領域３３と透光領域３２とを形成するものである。
【００２５】
以上の構造において、図２（ａ）で示すように、第１のシート部材３の透光部３０及び第２のシート部材４の透光部４０が共に開口部２０全体に配置されるように移動された場合、透過部７０が全体に構成されるので、前記開口部２０からの採光を最大レベルにすることができる。また、図１（ａ）で示す状態から、図２（ｂ）で示すように、第１のシート部材３を下げて部分的遮光部３１を開口部２０に配置するようにした場合、及び図２（ｃ）で示すように、第２のシート部材４を上げて部分的遮光部４１を開口部２０に配置するようにした場合には、それぞれ採光を制限した状態を達成できる。
【００２６】
また、図３（ａ）で示すように、第１のシート部材３を途中まで下げ、第２のシート部材４を途中まで上げるようにして、中間部分の採光レベルを上げ、上下両端側の採光レベルを下げることも可能である。
【００２７】
さらに、図３（ｂ）で示すように、上下で交互する格子状に配置することもできる。また、図３（ｃ）で示すように、第２のシート部材４の部分透過部４１を開口部２０の全面に渡って配置することによって、上半分を遮光し、下半分の採光を制限した状態にすることができる。
【００２８】
さらに、図３（ｄ）で示すように、前記第１のシート部材３の部分的遮光部３１と、前記第２のシート部材４の部分的遮光部４１とを開口部２０の全面に渡って配置することによって、遮蔽部６０を開口部２０全体に渡って構成できるので、採光レベルを最小限にすることができるものである。
【００２９】
また、図４（ａ）で示すものは、遮蔽部６０を中央部分に形成し、開口部２０の上部部分及び下部部分に部分的遮光部３１及び４１を配置し、遮光及び採光を調節したものである。さらに、図４（ｂ）で示すものは、図４（ａ）で示すものに対して中央部分の遮蔽部６０の幅を広くし、採光を制限したものである。また、図４（ｃ）で示すものは、遮蔽部６０の位置を下方に少し下げた状態を示したものであり、図４（ｄ）で示すものは、遮光部６０を下方に配置したものである。このように、実施例１において、採光／遮光を臨機応変に、所望に応じて変化させることが可能となるものである。
【００３０】
上述した実施例１では、第１のシート部材３の部分的遮光部３１及び第２のシート部材４の部分的遮光部４１の図柄を、それぞれの部分的遮光部３１、４１がお互いにネガティブを構成する格子状としたが、図柄としてはこれに限定されるものではなく、２枚の重複するシート部材３，４に、遮光領域３３，４３及び透過部分３２，４２によって構成されるそれぞれに異なる図柄を形成するようにしても良いものである。
【００３１】
また、前記図柄は、文字情報や絵柄によって構成された広告情報であっても良いものである。
【００３２】
尚、前記第１のシート部材３及び第２のシート部材４の移動方向は、それぞれ独立して制御可能であり、方向を変えたり、速度を変えたりすることができるものである。
【実施例２】
【００３３】
図５及び図６で示す実施例２に係るブラインド装置１Ａは、前記第１２のシート部材及び第２のシート部材を一連のシート部材としたもので、この実施例２では、上方へ上がるシート部材を第１のシート部材３Ａ、折り返しローラ５０を介して下方へ下がるシート部材を第２のシート部材４Ａとするものである。尚、実施例１と同じ箇所及び同様の作用を行うものには同様の符号を付して説明を省略する。
【００３４】
図６（ａ）は、第１のシート部材３Ａの透光部３０Ａと、第２のシート部材４Ａの透光部４０Ａが、開口部２０全体に渡って配置されて、透過部７０を構成し、最大採光レベルを達成している。また、図６（ｂ）は、第２のシート部材４の透光部４０Ａがローラ８に巻き取られていき、ローラ７から送り出された第１のシート部材３Ａの部分的遮光部３１Ａが上がっていき、開口部２０の下の部分を部分的に遮光する状態になっている。
【００３５】
さらに第２のシート部材４Ａがローラ８に巻き取られ、第１のシート部材３Ａがローラ７から送り出され、前記第１のシート部材３Ａの部分的遮光部３１Ａを構成した部分が折り返しローラ５０を介して反対側へ移動することによって、図６（ｃ）で示すように、反対側に移動した部分が、第２のシート部材４Ａの部分的遮光部４１Ａを構成し、またローラ８から上がってきた部分的遮光部が、第１のシート部材３Ａの部分的遮光部３１Ａを構成する。
【００３６】
さらに、第２のシート部材４Ａがローラ８に巻き取られ、第１のシート部材３Ａがローラ７から送り出されて、それぞれの部分的遮蔽部３３Ａ，４３Ａが重複する位置にくると、図６（ｄ）で示すように遮蔽部６０が開口部２０全体に構成されて全閉状態となり、最小限の採光レベルを達成できるものである。
【実施例３】
【００３７】
図７で示す実施例３に係るブラインド装置１Ｂは、実施例２に係るブラインド装置１Ａの折り返しローラ５０Ａを前記透光性部材２Ａ，２Ｂの間の間隙２Ｃ内を移動可能にしたものである。これによって、上述した実施例２の作用効果の他に、第１のシート部材３Ａ及び第２のシート部材４Ａ自体を上下させることができるようにしたものである。これによって、第１及び第２のシート部材３Ａ，４Ａの透光部３０Ａ，４０Ａを移動させて得られる最大採光に対して、それらの所定位置への移動を待たずに、採光レベルを調節できるという効果を有している。
【実施例４】
【００３８】
図８で示す実施例４に係るブラインド装置１Ｃは、実施例３に係るブラインド装置１Ｂに対して、第１及び第２のシート部材３Ａ，４Ａを収納するローラの位置を、第１及び第２のシート部材３Ａ，４Ａの引き出し方向に沿って配置したものである。これによって、ブラインド装置自体の幅方向の厚みを薄くできるという効果を奏する。
【実施例５】
【００３９】
図９（ａ），（ｂ）で示す実施例５は、開口部に沿って前述したブラインド装置１を複数設置又は連続した複数の開口部の各々に前述したブラインド装置１を設置したブラインド群装置１００を示すものである。
【００４０】
このブラインド群装置１００は、コントロールユニット１０１を具備し、このコントロールユニット１０１によって各ブラインド装置１に設けられた駆動装置１０２を総合的に制御し、さまざまな模様を表示することができるようにしたものである。
【実施例６】
【００４１】
図１０で示す実施例６は、前記第１及び第２のシート部材の部分的遮光部３０Ｂ，４０Ｂの遮光領域４３Ｂに模様を形成するようにしたものである。
【００４２】
図１０（ａ）は、透過部７０が全体に構成された状態を示し、図１０（ｂ）は、開口部２０の下方に第２のシート部材の部分的遮光部４１Ｂが配置された状態を示すものである。また、図１０（ｃ）は、開口部２０の上下に第１のシート部材の部分的遮光部３１Ｂ及び第２のシート部材の部分的遮光部４１Ｂが配置された状態を示している。この場合、それぞれに異なる図形が断片的に表示される。
【００４３】
図１０（ｄ）は、第１のシート部材がさらに下がり、第２のシート部材がさらに上がり、それぞれの部分的遮光部３１Ｂ，４１Ｂが完全に重なった状態を示すものである。これによってそれぞれの図形が完全に表示され、遮蔽部６０が開口部全体に構成されたことを示すものである。尚、図中３２Ｂ，４２Ｂは部分的遮光部３１Ｂ，４１Ｂの透光部分を示す。
【図面の簡単な説明】
【００４４】
【図１】本願発明の実施例１に係るブラインド装置の概略構成図である。
【図２】（ａ），（ｂ），（ｃ）は、実施例１に係るブラインド装置のそれぞれのシート状部材による遮光状態を示した説明図である。
【図３】（ａ），（ｂ），（ｃ），（ｄ）は、第１の実施例に係るブラインド装置の遮光状態の例を示した説明図である。
【図４】（ａ），（ｂ），（ｃ），（ｄ）は、第１の実施例に係るブラインド装置の遮光状態の例を示した説明図である。
【図５】本願発明の実施例２に係るブラインド装置の概略構成図である。
【図６】（ａ），（ｂ），（ｃ），（ｄ）は、実施例２に係るブラインド装置の遮光状態を示した説明図である。
【図７】本願発明の実施例３に係るブラインド装置の概略構成図である。
【図８】（ａ），（ｂ）は、本願発明の実施例４に係るブラインド装置の概略構成図である。
【図９】（ａ），（ｂ）は、本願発明の実施例５に係るブラインド装置群の概略構成図である。
【図１０】（ａ），（ｂ），（ｃ），（ｄ）は、本願発明の実施例６に係るブラインド装置の遮光状態を示した説明図である。
【符号の説明】
【００４５】
１，１Ａ，１Ｂ，１Ｃ  ブラインド装置
２  透光部
２Ａ，２Ｂ  透光性部材
２Ｃ  間隙
３，３Ａ  第１のシート部材
４，４Ａ  第２のシート部材
５  第１の上部ローラ
６  第１の下部ローラ
７  第２の上部ローラ
８  第２の下部ローラ
９，１０，１１，１２  ガイドローラ
２０  開口部
２１  枠体
２２  上部収納部
２３  下部収納部
３０，４０  透光部
３１，３１Ａ，３１Ｂ，４１，４１Ａ，４１Ｂ  部分的遮光部
３２，３２Ａ，３２Ｂ，４２，４２Ａ，４２Ｂ  透光領域
３３，３３Ａ，３３Ｂ，４３，４３Ａ、４３Ｂ  遮光領域
５０，５０Ａ  折り返しローラ
６０  遮蔽部
７０  透過部
１００  ブラインド群装置
【図１】
2007016541.tif 000003
【図２】
2007016541.tif 000004
【図３】
2007016541.tif 000005
【図４】
2007016541.tif 000006
【図５】
2007016541.tif 000007
【図６】
2007016541.tif 000008
【図７】
2007016541.tif 000009
【図８】
2007016541.tif 000010
【図９】
2007016541.tif 000011
【図１０】
2007016541.tif 000012